(57)【要約】【課題】既設枠の開口内に新設枠を室内側から取り付けできると共に、施工効率、施工精度を向上した改装サッシとする。【解決手段】既設枠２の既設縦枠２２に縦取付金具８の長尺の室内側取付部８ａを取り付けることで、その複数の短尺の室外側取付部８ｂを取り付けできるようにし、この各室外側取付部８ｂに渡って縦カバー材７を取り付け、新設枠３を既設枠２の開口内に室内側から挿入して新設縦枠部材３ｃの室外側面を縦カバー材７に接することで見込み方向に位置決めできるようにした改装サッシ。【選択図】図５
2014025196.tif 000002
【特許請求の範囲】
【請求項１】
既設枠の開口内に、新設枠に面材を設けた新設サッシを取り付けた改装サッシであって、
前記既設枠の既設縦枠と前記新設枠の新設縦枠部材との間の見付け方向の隙間を閉塞する縦カバー材を、縦取付金具で既設縦枠よりも室外側に突出して取り付け、
前記縦取付金具は、長尺の室内側取付部と、この室内側取付部の長手方向に間隔を置いて当該室内側取付部よりも室外側に突出して複数設けた短尺の室外側取付部を有し、その室内側取付部を既設縦枠の長手方向に沿って取り付け、
この各室外側取付部に渡って縦カバー材を連結して取り付け、
前記新設縦枠部材の室外側部が縦カバー材に接することで見込み方向に位置決めしたことを特徴とする改装サッシ。
【請求項２】
前記室内側取付部と各室外側取付部は別体で、その各室外側取付部が室内側取付部に見込み方向の位置を調整可能にそれぞれ取り付けてある請求項１記載の改装サッシ。
【請求項３】
前記縦取付金具は、その室内側取付部を既設枠の既設下枠の上面を基準として取り付けてある請求項２記載の改装サッシ。
【請求項４】
前記縦カバー材は、見付け方向に向かう縦板の室内側面に室内側に向けて開口した係合凹部を有し、
前記縦取付金具の室外側取付部は、その室外側部に前記係合凹部に係合する係合部を有し、
前記係合凹部が係合部に係合した状態で縦カバー材が室外側取付部にボルトで固着した請求項３記載の改装サッシ。
【請求項５】
前記縦カバー材の縦板の室内側面と既設縦枠の見付け方向内側面との間に室内側に開口した空間を形成するようにし、
この空間にシール材を装着して縦板の室内側面と既設縦枠の見付け方向内側面との間をシールした請求項４記載の改装サッシ。
【請求項６】
既設枠の既設上枠と新設枠の新設上枠部材との間の見付け方向の隙間を閉塞する横カバー材を、横取付金具で既設上枠よりも室外側に突出して取り付け、又は縦カバー材に既設上枠よりも室外側に突出して取り付け、
この横カバー材と既設上枠との間をシール材でシールすると共に、新設枠の新設上枠部材の室外側面を横カバー材に接することで見込み方向に位置決めし、
新設枠の新設下枠部材に室外側垂下片を設け、この室外側垂下片が既設枠の既設下枠の室外側面よりも下方に突出して既設下枠を覆うようにした請求項１〜５いずれか１項に記載の改装サッシ。
【請求項７】
躯体の開口部に既設サッシの既設枠を残存し、
この既設枠の既設縦枠に、縦取付金具の室内側取付部を取り付けて当該縦取付金具の各室外側取付部の室外側面を既設縦枠の室内側面と面一とし、
前記既設枠の開口内に新設枠を室外側から挿入し、その新設枠の新設縦枠部材の室外側面を縦カバー材に接して見込み方向に位置すると共に、新設縦枠部材と既設縦枠との間の見付け方向の隙間を閉塞するようにして新設枠を取り付けることを特徴とするサッシの改装方法。
【発明の詳細な説明】
【技術分野】
【０００１】
本発明は、既設サッシの既設枠の開口内に新設サッシを取り付けた改装サッシ及び、その新設サッシを既設枠の開口内に取り付けるサッシの改装方法に関する。
【背景技術】
【０００２】
従来から既設サッシの既設枠の開口内に新設サッシを取り付けした改装サッシが種々提案されているが、その新設サッシを室外側から既設枠の開口内に取り付けるには作業用の足場を設置しなければならないので、新設サッシを室内側から既設枠の開口内に取り付けるようにして、作業用の足場を用いずに施工可能とした改装サッシが提案されている。
例えば、特許文献１に開示したように、既設枠の既設縦枠に複数の縦取付金具を上下方向に間隔を置いて固着して取り付け、この複数の縦取付金具の室外側部に渡ってＴ字型の雨仕舞材を、既設縦枠よりも室外側に突出するように連結し、既設枠の開口内に設けた新設サッシの新設枠の新設縦枠の室外側部を雨仕舞材に装着した目地材に当接するようにした改装サッシが提案され、この改装サッシであれば既設枠の開口内に新設サッシを室内側から取り付けできると共に、新設サッシの新設枠を室内外側方向（見込み方向）に位置決めできる。
【先行技術文献】
【特許文献】
【０００３】
【特許文献１】特公昭５４−２７６５８号公報
【発明の概要】
【発明が解決しようとする課題】
【０００４】
前述した従来の改装サッシにおいては、既設縦枠に上下方向に間隔を置いてそれぞれ個別に取り付けた複数の縦取付金具に渡って雨仕舞材の長手方向複数個所を連結しているので、複数の縦取付金具を、適正な上下方向位置となるように上下方向に位置決めすると共に、雨仕舞材連結個所が室内外側方向（見込み方向）に同一となるように見込み方向に位置決めして取り付ける必要があり、その取付金具の取付作業が面倒で長時間かかるので、改装サッシの施工効率が悪いばかりか、取付金具の取付位置に誤差が生ずることがあるので既設サッシの施工精度が低い。
【０００５】
本発明は、前述の課題に鑑みなされたものであり、その目的は、縦取付金具を簡単に短時間で取り付けでき、改装サッシの施工効率及び施工精度を向上した改装サッシ及びサッシの改装方法を提供することである。
【課題を解決するための手段】
【０００６】
本発明の改装サッシは、既設枠の開口内に、新設枠に面材を設けた新設サッシを取り付けた改装サッシであって、
前記既設枠の既設縦枠と前記新設枠の新設縦枠部材との間の見付け方向の隙間を閉塞する縦カバー材を、縦取付金具で既設縦枠よりも室外側に突出して取り付け、
前記縦取付金具は、長尺の室内側取付部と、この室内側取付部の長手方向に間隔を置いて当該室内側取付部よりも室外側に突出して複数設けた短尺の室外側取付部を有し、その室内側取付部を既設縦枠の長手方向に沿って取り付け、
この各室外側取付部に渡って縦カバー材を連結して取り付け、
前記新設縦枠部材の室外側部が縦カバー材に接することで見込み方向に位置決めしたことを特徴とする改装サッシである。
【０００７】
本発明の改装サッシは、前記室内側取付部と各室外側取付部は別体で、その各室外側取付部が室内側取付部に見込み方向の位置を調整可能にそれぞれ取り付けてある改装サッシとすることができる。
このようにすれば、複数の室外側取付部の見込み方向の位置をそれぞれ個別の調整できるので、既設縦枠が垂直に対して傾斜している場合には、その傾斜に合わせて見込み方向位置を調整することで、新設縦枠部材を傾斜した既設縦枠に沿って取り付けできる。
【０００８】
本発明の改装サッシは、前記縦取付金具は、その室内側取付部を既設枠の既設下枠の上面を基準として取り付けてある改装サッシとすることができる。
このようにすれば、複数の室外側取付部の上下方向位置が既設下枠の上面を基準とした位置となるから、室外側取付部の上下方向位置を確実に適正な位置とすることができる。
【０００９】
本発明の改装サッシは、前記縦カバー材は、見付け方向に向かう縦板の室内側面に室内側に向けて開口した係合凹部を有し、
前記縦取付金具の室外側取付部は、その室外側部に前記係合凹部に係合する係合部を有し、
前記係合凹部が係合部に係合した状態で縦カバー材が室外側取付部にボルトで固着した改装サッシとすることができる。
このようにすれば、縦カバー材を仮取り付けした状態でボルトで固着できるから、縦カバー材の取り付けが容易である。
【００１０】
本発明の改装サッシは、前記縦カバー材の縦板の室内側面と既設縦枠の見付け方向内側面との間に室内側に開口した空間を形成するようにし、
この空間にシール材を装着して縦板の室内側面と既設縦枠の見付け方向内側面との間をシールした改装サッシとすることができる。
このようにすれば、既設枠の開口の室内側からシール材を装着して縦カバー材と既設縦枠との間から雨水が浸入することを防止できる。
【００１１】
本発明の改装サッシは、既設枠の既設上枠と新設枠の新設上枠部材との間の見付け方向の隙間を閉塞する横カバー材を、横取付金具で既設上枠よりも室外側に突出して取り付け、又は縦カバー材に既設上枠よりも室外側に突出して取り付け、
この横カバー材と既設上枠との間をシール材でシールすると共に、新設枠の新設上枠部材の室外側面を横カバー材に接することで見込み方向に位置決めし、
新設枠の新設下枠部材に室外側垂下片を設け、この室外側垂下片が既設枠の既設下枠の室外側面よりも下方に突出して既設下枠を覆うようにした改装サッシとすることができる。
このようにすれば、既設上枠と新設上枠部材との間の隙間が閉塞されると共に、既設下枠が覆われるので、既設サッシの外観が見栄え良いものとなる。
【００１２】
本発明のサッシの改装方法は、躯体の開口部に既設サッシの既設枠を残存し、
この既設枠の既設縦枠に、縦取付金具の室内側取付部を取り付けて当該縦取付金具の各室外側取付部の室外側面を既設縦枠の室外側面と面一とし、
前記既設枠の開口内に新設枠を室内側から挿入し、その新設枠の新設縦枠部材の室外側面を縦カバー材に接して見込み方向に位置すると共に、新設縦枠部材と既設縦枠との間の見付け方向の隙間を閉塞するようにして新設枠を取り付けることを特徴とするサッシの改装方法である。
【発明の効果】
【００１３】
本発明の改装サッシによれば、新設枠を既設枠の開口内に室内側から挿入して取り付けできると共に、縦カバー材により新設枠の新設縦枠部材を見込み方向に位置決めできる。
しかも、縦取付金具を簡単に短時間に取り付けでき、改装サッシの施工効率及び施工精度を向上することができる。
本発明のサッシの改装方法によれば、縦取付金具を簡単で短時間に取り付けできると共に、その縦取付金具に取り付けた室外側取付部で新設縦枠部材を見込み方向に位置決めでき、既設サッシを新設サッシに効率良く、精度を高く改装できる。
【図面の簡単な説明】
【００１４】
【図１】改装サッシの縦断面図である。
【図２】改装サッシの横断面図である。
【図３】上枠部分の拡大図である。
【図４】下枠部分の拡大図である。
【図５】縦枠部分の拡大図である。
【図６】縦取付金具の取付状態の説明図である。
【図７】縦カバー材と縦取付金具の一部の分解斜視図である。
【図８】改装サッシの下部斜視図である。
【図９】新設枠の取付状態の説明図である。
【図１０】改装サッシの第２の実施の形態を示す縦断面図である。
【図１１】改装サッシの第２の実施の形態を示す横断面図である。
【図１２】上カバー材の取り付けの他の実施の形態を示す上カバー材取付状態の内観図である。
【図１３】上カバー材と縦カバー材を取り外した状態の斜視図である。
【図１４】上カバー材の取り付けを説明する外観図である。
【発明を実施するための形態】
【００１５】
本発明の改装サッシは図１、図２に示すように、躯体１の開口部１ａに既設サッシの既設枠２が残存している。
この既設枠２は、既設上枠２０と既設下枠２１と左右の既設縦枠２２，２２とで方形状である。
既設枠２内に新設サッシの新設枠３が取り付けてある。
この新設枠３は新設上枠部材３ａと新設下枠部材３ｂと左右の新設縦枠部材３ｃ，３ｃとで方形状である。
新設上枠部材３ａは、ジョイント上枠３０と新設上枠４０を有している。
新設下枠部材３ｂは、ジョイント下枠３１と新設下枠４１を有している。
新設縦枠部材３ｃは、ジョイント縦枠３２と新設縦枠４２を有している。
【００１６】
この新設枠３内には面材、例えば障子５ａ、網戸５ｂを取り付けて新設サッシとしてある。
【００１７】
既設上枠２０は図３に示すように、室外側垂下片２０ａを有した室内外側方向に向かう本体２０ｂと、その本体２０ｂの室内側方向中間に上向きに設けた取付片２０ｃと、本体２０ｂの室内側端に下向きに設けた鉤形の室内側片２０ｄを備え、取付片２０ｃが躯体１の室外側面１ｂに図示しないビスで固着され、外壁１ｃで覆われている。
そして、室外側垂下片２０ａの室外側面が前述した既設上枠２０の室外側面２０ｅである。
【００１８】
既設下枠２１は図４に示すように、上面が階段形状となった本体２１ａと、上向片２１ｂ、下向片２１ｃ、取付片２１ｄを有し、その取付片２１ｄを躯体１の室外側面１ｂに図示しないビスで固着して取り付けてある。
この既設下枠２１の室外側面２１ｅは前述した既設上枠２０の室外側面と室内外側方向（見込み方向）に同一位置である。
【００１９】
既設縦枠２２は図５に示すように、室内外側方向に向かう本体２２ａに取付片２２ｂと内向片２２ｃと室外側鉤片２２ｄを設けたもので、その室外側鉤片２２ｄ（室外側部）の室外側面が既設縦枠２２の室外側面２２ｅで、その室外側面２２ｅは既設上枠２０の室外側面２０ｅと室内外側方向（見込み方向）に同一位置である。
そして、取付片２２ｂを躯体１の室外側面１ｂに接して図示しないビスで固着して取り付けてある。
【００２０】
ジョイント上枠３０は図３に示すように、室内外側方向に向かう本体３０ａの室内側端に上取付片３０ｂと下取付片３０ｃを有し、本体３０ａの室外側端に縦向片３０ｄを有している。
そして、本体３０ａが新設上枠４０の上部に接してビス３０ｅで固着されると共に、下取付片３０ｃが新設上枠４０の室内側部に接してビス３０ｆで固着され、ジョイント上枠３０は新設上枠４０の上部に取り付けられる。上取付片３０をビス３０ｇで躯体１に固着して新設上枠部材３ａが取り付けられる。
【００２１】
ジョイント下枠３１は図４に示すように、室内外側方向に向かう本体３１ａと、その本体３１ａの室内側端に設けた上取付片３１ｂ、下取付片３１ｃと、本体３１ａの室外側寄り上面に設けた係止受片３１ｄと、本体３１ａの室外側端に設けた室外側垂下片３１ｅを有している。
図４に示すジョイント下枠３１はアルミ押出形材で、その本体３１ａが室内側寄りが高く、室外側寄りが低い段階形状で、その本体３１ａの室外側寄りと室内側寄りが別体で、かつ断熱材３１ｆで連結された断熱形材となっている。
【００２２】
ジョイント下枠３１は新設下枠４１の下部に次のように取り付けられる。
新設下枠４１の室外側下部に設けた係止片４１ａに係止受片３１ｄを係止して本体３１ａを新設下枠４１の下部に接すると共に、新設下枠４１の室内側部４１ｂに上取付片３１ｂを接してビス４１ｃで固着して取り付ける。
そして、ジョイント下枠３１の下取付片３１ｃを躯体１の開口部１ａ（スペーサ１ｄ）に接してビス３１ｇで固着して取り付けることで、新設下枠部材３ｂを取り付け、室外側垂下片３１ｅを既設下枠２１の室外側面２１ｅよりも下方に垂下させ、既設下枠２１の室外側を完全に覆う。
既設下枠２１がジョイント下枠３１と干渉する場合には、その干渉する部分を切断等して除去する。
【００２３】
ジョイント縦枠３２は図５に示すように、矩形筒状の本体３２ａと、その本体３２ａの室内側でかつ外側に向けて設けた取付片３２ｂと、本体３２ａの内側面の室内側に設けた連結片３２ｃ、室外側に設けた係止受片３２ｄを有し、連結片３２ｃにアタッチメント３２ｅがビス３２ｆで固定してある。
このジョイント縦枠３２は新設縦枠４２の外側に次のようにして取り付ける。
新設縦枠４２の室外側係止片４２ａを係止受片３２ｄに係止すると共に、室内側取付片４２ｂをアタッチメント３２ｅに接し、ビス４２ｃで固着して取り付ける。
【００２４】
前述の新設枠３は既設枠２内に室内側から取り付けるので、図１に示すように既設上枠２０の見付け方向の内側面（下面）とジョイント上枠３０（新設上枠部材３ａ）の見付け方向の外側面（上面）との間、既設下枠２１の見付け方向の内側面（上面）とジョイント下枠３１（新設下枠部材３ｂ）の見付け方向の外側面（下面）との間には見付け方向の隙間があると共に、図２に示すように、既設縦枠２２の見付け方向の内側面とジョイント縦枠３２（新設縦枠部材３ｃ）の見付け方向の外側面との間には見付け方向の隙間がある。
つまり、新設枠３の外周の大きさを既設枠２の内周の大きさよりも小さくして新設枠３を室内側から既設枠２内に挿入できるようにしているので、既設枠２の内周面と新設枠３の外周面との間に見付け方向の隙間がある。
これにより、雨仕舞が悪いと共に、外観の見栄えが悪い。
【００２５】
そこで、図１に示すように既設上枠２０よりも室外側に上カバー材６を取り付け、この上カバー材６に新設上枠部材３ａの室外側面（ジョイント縦枠３０の縦向片３０ｄの室外側面）を接して前述の隙間を閉塞すると共に、図２に示すように既設縦枠２２よりも室外側に縦カバー材７を取り付け、この縦カバー材７に新設縦枠部材３ｃの室外側面（ジョイント縦枠３２の室外側面３２ｇ）を接して前述の隙間を閉塞し、図１で示すように、新設下枠部材３ｂ（ジョイント下枠３１）の室外側垂下片３１ｅで既設下枠２１の室外側面２１ｅを覆って前述の隙間を閉塞することで、雨仕舞を良くすると共に、外観の見栄えを良くしている。
【００２６】
上カバー材６は、中空形状の本体６０と、この本体６０の上部室内側端に上方で室内側に向けて設けた上取付片６１と、本体６０の下部室内側端に室内側に向けて設けた下取付片６２を有した長尺材である。
既設上枠２０の本体２０ａに短尺の横取付金具６３を長手方向に間隔を置いて複数固着し、この各横取付金具６３の室外側部６３ａに本体６０の室内側縦片６０ａをボルト６４で固着することで上カバー材６を既設上枠２０に取り付ける。
【００２７】
上カバー材６の上取付片６１が既設上枠２０の室外側垂下片２０ａ（室外側面）に接すると共に、上カバー材６の上部（本体６０の室内側縦片６０ａの上部寄りと上取付片６１）と既設上枠２０の室外側垂下片２０ａとの間に室内側に向けて開口した空間を形成している。この空間にシール材６５を装着して上カバー材６の上部と既設上枠２０の室外側垂下片２０ａとの間をシールしてある。
このシール材６５は、隣接した横取付金具６３間からノズルを空間に向けて注入して装着できるから、既設枠２の開口の室内側からシール材６５を簡単に装着することができる。
【００２８】
このように上カバー材６を取り付けることで、その上カバー材６の下取付片６２の室内側面が既設上枠２０の室外側面と面一となると共に、上カバー材６と既設上枠２０との間から雨水等が開口に浸入することがない。
【００２９】
縦カバー材７は図２に示すように既設縦枠２２の内側面に取り付けた縦取付金具８に取り付けてある。
この取付金具８は図５と図６に示すように、長尺の室内側取付部８ａと、この室内側取付部８ａに長手方向に間隔を置いて設けた複数の短尺の室外側取付部８ｂを備えている。
室内側取付部８ａは既設枠２の既設上枠２０の下面と既設下枠２１の上面との間の寸法、つまり、開口内高さ寸法と等しい長さ、もしくは開口内高さ寸法よりもわずかに短い長さ、好ましくは、既設上枠２０の下面から既設下枠２１の上面近くまでに渡る長さである。
室外側取付部８ｂは室内側取付部８ａの室外側部よりも室外側に向けて突出している。
【００３０】
そして、室内側取付部８ａを固着具８ｃで躯体１に固着することで、既設縦枠２２の内側面、例えば内向片２２ｃに取り付け、各室外側取付部８ｂの室外側部に渡って縦カバー材７を設けると共に、縦カバー材７と各室外側取付部８ｂの室外側部を連結することで、縦カバー材７を既設縦枠２２よりも室外側に突出するように取り付ける。
【００３１】
このように、室内側取付部８ａを既設縦枠２２の内側面に取り付けることで、複数の室外側取付部８ｂが取り付けられると共に、その複数の室外側取付部８ｂが適正な上下方向の位置となり、かつ見込み方向に位置決めされる。
しかも複数の室外側取付部８ｂの上下方向、見込み方向の位置の誤差が生じることがない。
したがって、縦取付金具７の取付作業が短時間に簡単に取り付けでき、改装サッシの施工効率及び施工精度が向上する。
例えば、各室外側取付部８ｂの室外側面８ｂ−１が既設縦枠２２の室外側面２２ｅと面一となるように室内側取付部８ａを取り付ける。
【００３２】
次に縦カバー材７、取付金具８を詳細に説明する。
縦カバー材７は図５、図６、図７に示すように、左右方向（見付け方向）に向かう縦板７０と、その縦板７０の左右両端に室内側に向けて設けた内側突片７１と、外側突片７２とでほぼ室内側に向かうコ字形状で、その縦板７０の室内側面における左右方向中間に室内側に向けて設けた一対の係止片７３，７３を有し、その係止片７３は内側突片７１、外側突片７２よりも室内側に突出している。縦カバー材７の上下端にはキャップ７４が取り付けてある。
一対の係止片７３の見込み方向中間には見付け方向に向かう突片７３ａが設けられ、一対の係止片７３におけるこの突片７３ａよりも室内側部分が係合凹部７５を形成し、突片７３ａの室内側面が係合凹部７５の底面である。
【００３３】
縦カバー７は図６、図８に示すように既設下枠２２の室外側面２２ｅよりも下方まで連続して取り付けられるから、一対の係止片７３の下端部分が既設下枠２２と干渉するので、その干渉する部分を切断して除去してある。
例えば、図７に示すように、一対の係止片７３の下端部分における突片７３ａよりも室内側部分を、既設下枠２２の見付け寸法（上下方向の寸法）ｌよりも若干長い寸法（ｌ＋α）で切断して除去してある。
【００３４】
縦取付金具８は図５、図６、図７に示すように、室内側取付部８ａと室外側取付部８ｂが別体で、各室外側取付部８ｂは室内側取付部８ａに、見込み方向の位置を調整可能にそれぞれ取り付けてあるから、各室内側取付部８ｂの室外側面８ｂ−１の位置を見込み方向にそれぞれ調整できる。
【００３５】
このようであるから、長い年月の使用による建物のゆがみなどで既設縦枠２２の室外側面２２ｅが垂直に対して傾斜している場合は、縦取付金具８の室内側取付部８ａを前述のように取り付けた状態で、各室外側取付部８ｂを見込み方向にそれぞれ移動して室外側面８ｂ−１を傾斜している既設縦枠２２の室外側面２２ｅに合わせることができる。
したがって、複数の室外側取付部８ｂの室外側面８ｂ−１を基準として縦カバー材７を取り付けることで、その縦カバー材７を傾斜した既設縦枠２２の室外側面２２ｅと平行に取り付けることができる。
【００３６】
室外側取付部８ａは、見込み方向に向かう板状の基端部８０と、この基端部８０の室外側端と連続し見付け方向に向かう板状の中間内向部８１と、この中間内向部８１の見付け方向内側端と連続し見込み方向の室外側に向かう板状の先端部８２とで断面がほぼクランク形状の長尺材である。
基端部８０の上下方向の複数部分に取付用孔８０ａが形成され、この取付用孔８０ａからボルト８ｃを躯体１に螺合して基端部８０を既設縦枠２２の内側面に取り付ける。
先端部８２の室外側取付部８ｂを取り付ける部分には上取付用孔８２ａと下取付用孔８２ｂがそれぞれ形成してある。この上下取付用孔８２ａ，８２ｂはボルト孔である。
【００３７】
室外側取付部８ｂは、見込み方向に向かう板状の本体部８３と、この本体部８３の見込み方向の室内側端と連続して見付け方向の外側に向かう板状の縦枠取付部８４と、本体部８３の見込み方向の室外側端部に設けた係合部８５で断面ほぼコ字形状の短尺材である。
この本体部８３には下孔８３ａと上孔８３ｂが形成され、その下孔８３ｂが透孔で上孔８３ｂは見込み方向の長孔である。
そして、図６、図８に示すように下孔８３ａから下ボルト８６ａを下取付用孔８２ｂに螺合すると共に、上孔８３ｂから上ボルト８６ｂを上取付用孔８２ａに螺合して本体部８３を先端部８２に固着することで室内側取付部８ａに室外側取付部８ｂを取り付けている。
【００３８】
このようであるから、下ボルト８６ａ、上ボルト８６ｂを弛め、本体部８３を先端部８２に対して下ボルト８６ａを中心として見込み方向の上下に揺動することで、室外側取付部８ｂを上下に揺動し、その室外側面８ｂ−１を垂直に対して斜めとすることができる。  したがって、既設縦枠２２の室外側面２２ｅが垂直に対して傾斜している場合に、複数の室外側取付部８ｂの室外側面８ｂ−１を、傾斜した室外側面２２ｅと平行として見込み方向に位置合わせすることができる。
【００３９】
係合部８５は、前述した縦カバー７の係合凹部７５に係合して突片７３ａに当接する形状で、その係合部８５の室外側面８５ａが前述の室外側取付部８ｂの室外側面８ｂ−１である。
例えば、係合部８５は一方の係止部７３に接する見込み方向に向かう一側片８５ｂと、この一側片８５ｂの室外側端と連続した見付け方向に向かう先端片８５ｃと、この先端片８５ｃの見付け方向一端部と連続し見込み方向の室内側に向かう係合片８５ｄとで断面ほぼコ字形状で、先端片８５ｃが突片７３ａに接すると共に、係合片８５ｄが一方の係止片７３に係合するようにしてある。
【００４０】
係合部８５の一側片８５ｂに取付用孔８７が形成されている。
縦カバー７の一方の係止片７３における室外側取付部８ｂを連結する部分には、透孔７６が取付用孔８７と対向して形成してある。
そして、図５、図８に示すように縦カバー材７の係合凹部７５を係合部８５に係合して仮取り付けした状態で、透孔７６からボルト７７を取付用孔８７に螺合し、縦カバー材７を室内側取付部８ｂに連結して縦カバー材７を取り付ける。
このように、仮取り付けした状態でボルト締めするので、その作業が容易である。
【００４１】
前述のように縦カバー材７を取り付けることで、縦カバー材７の縦板７０が既設縦枠２２の室外側面２２ｅ（室外側鉤片２２ｄ）よりも見込み方向の室外側に突出し、かつ見付け方向の外側に突出し、他方の係止片７３が既設縦枠２２の室外側面２２ｅ（室外側鉤片２２ｄ）よりも室内側に入り込み、他方の係止片７３が本体２２ａと左右方向の間隔を置いて対向し、縦板７０の室内側面７０ａと他方の係止片７３と既設縦枠２２の本体２２ａの室外側寄り（既設縦枠２２の内側面）とで室内側に向けて開口したほぼ溝状の空間を形成し、その空間にシール材７８を室内側から装着してある。つまり、他方の係止片７３がシール受け片である。
【００４２】
この実施の形態では、縦カバー材７の縦板７０の室内側面７０ａにおける他方の係止片７３（シール受け片）と連続してシール材受け、例えばバックアップ材７９が接着などで取り付けてある。
そして、縦カバー材７を前述のように取り付けることで、バックアップ材７９が既設縦枠２２の室外側面２２ｅに接触して前述の空間を完全な溝状とすることができる。
また、縦カバー材７の縦板７０の室内側面７０ａにおける内側突片７１と一方の係止片７３との間にもシール材受け、例えばバックアップ材７９が設けてある。
【００４３】
前述の空間にシール材７８を装着するには、既設枠２の開口の室内側から注入ノズルを縦取付金具８の室外側取付部８ｂ間を通して空間に臨ませて装着することができる。
【００４４】
縦カバー材７の上部は横カバー材６の下面よりも上方に突出しているので、横カバー材６の下取付片６２の長手方向両端寄り部分を切欠きし、その切欠き部に縦カバー材７の上部に入り込むようにしてある。
【００４５】
新設縦枠部材３ｃは縦取付金具８に固着して取り付けられる。
例えば、図５に示すようにジョイント縦枠３２の本体３２ａの見付け方向の外側面（新設縦枠部材３ｃの見付け方向の外側面）における見込み方向の室内側寄りにブラケット９０をボルト９１で固着して取り付ける。
このブラケット９０を室外側取付部８ｂの縦枠取付部８４の室内側面に接し、ブラケット９０からボルト９２を縦枠取付部８４、室内側取付部８ａの中間内向部８１に螺合して固着することで、新設縦枠部材３ｃを縦取付金具８に固着して取り付ける。
【００４６】
新設縦枠部材３ｃは、その室外側面（ジョイント縦枠３２の室外側面３２ｇ）が縦カバー材７（内側突片７１）に接して見込み方向に位置決めされる。これと同時に室外側面がバックアップ材７９に圧接して一方の係止片７３と見付け方向外側面（ジョイント縦枠３２の本体３２ａ）との間に室内側に開口した空間を形成するので、その空間に室内側からシール材７８を装着してシールする。
【００４７】
次に、サッシの改装方法の実施の形態を説明する。
既設サッシの障子などを取り外して除去することで、既設枠２のみを躯体１の開口部１ａに残存する。
既設枠２の開口の室内側から横取付金具６３を前述のように取り付け、この横取付金具６３に横カバー材６を開口の室内側から取り付ける。そして、シール材６５を装着する。
【００４８】
図６に示すように、縦取付金具８の室内側取付部８ａの下端を既設下枠２１の上面、例えば、最も高い室内側上面に当接して上下方向に位置決めし、基部８０を既設縦枠２２の内側面、例えば本体２２ａの内向片２２ｃに接する。
この室内側取付部８ａには複数の室外側取付部８ｂが取り付けてあり、各室外側取付部８ｂの室外側面８ｂ−１が垂直で、かつ一直線状に連結するようにしてある。
室内側取付部８ａの基部８０の取付用孔８０ａからボルト８ｃを躯体１に螺合して室内側取付部８ａを既設縦枠２２の内側面に上下方向に連続して取り付ける。
つまり、既設下枠２１の上面を基準として取り付ける。
【００４９】
この状態で各室外側取付部８ｂの室外側面８ｂ−１が既設縦枠２２の室外側面２２ｅと見込み方向に同一位置となるように調整する。
例えば、既設縦枠２２の室外側面２２ｅが垂直に対して傾斜している場合には、前述のように各室外側取付部８ｂを上下方向に回動して室外側面８ｂ−１が室外側面２２ｅと平行で、見込み方向に同一とする。
【００５０】
縦カバー材７を室内側から既設枠２の開口を通して室外側に持ち出し、その係合凹部７５を各室外側取付部８ｂの係合部８５にそれぞれ係合して縦カバー材７を仮取り付けする。
この状態で、ボルト７７を透孔７６から取付用孔８７に螺合して縦カバー材７を取り付ける。
【００５１】
前述のように縦カバー材７を取り付けることで、バックアップ材７９が既設縦枠２２の室外側面２２ｅに圧接してシール材装着用の空間を形成する。
【００５２】
既設枠２の開口の室内側から注入ノズルを、上下に隣接した室外側取付部８ｂ間に挿入して前述の空間にシール材７８（湿式のシール材）を注入して装着することで、既設縦枠２２の室外側部と縦カバー材７との間をシールする。
【００５３】
新設上枠部材３ａと新設下枠部材３ｂと新設縦枠部材３ｃを方形状に連結した新設枠３を、室内側において垂直に対して下部が上部よりも室外寄りとなるように傾斜姿勢とする。
【００５４】
そして、新設枠３の下部を図９に示すように既設枠２の開口に挿入し、ジョイント下枠３１の室外側垂下片３１ｅの下側部分の左右両端面を左右の縦カバー材７の内側突片７１に接触して矢印ａで示すように下方に移動しながら新設枠３を矢印ｂで示すように順次垂直姿勢に向けて傾動する。
【００５５】
このようであるから、ジョイント下枠３１の室外側垂下片３１ｅの下側部材が縦カバー材７の内側突片７１と干渉して新設枠３を取り付けしづらくなることがあるので、その縦カバー材７の内側突片７１の前述の下側部分と接触部分に切欠き７１ａを形成することで、左右の縦カバー材７の内側突片７１間にジョイント下枠３１の室外側垂下片３１ｅがスムーズに挿入するようにしてある。
つまり、縦カバー材７の内側面におけるジョイント下枠３１の室外側垂下片３１ｅと接触する部分を切欠きすれば良い。
なお、縦カバー材７の一対の係止片７３の下部は前述のように切欠きしてあるので、既設下枠２１と干渉することがない。
【００５６】
新設枠３を垂直姿勢とすることで、ジョイント上枠３０の縦向片３０ｄ（新設上枠部材３ａの室外側面）が上カバー材６の下取付片６２に接して見込み方向に位置決めされると共に、ジョイント縦枠３２の室外側面３２ｇ（新設縦枠部材３ｃの室外側面）が縦カバー材７の内側突片７１に接して見込み方向に位置される。
これとともに、ジョイント下枠３１の室外側垂下片３１ｅが既設下枠２１の室外側面２１ｅよりも下方に突出して既設下枠２１を覆う。
【００５７】
そして、ジョイント上枠３０、ジョイント下枠３１を前述のようにして躯体１に固着すると共に、ジョイント縦枠３２を前述のようにして縦取付金具８に固着することで、新設枠３を既設枠２内に室内側から取り付ける。
【００５８】
前述の実施の形態では、新設上枠部材３ａ、新設縦枠部材３ｃを、既設上枠４０とジョイント上枠３０、新設縦枠４２とジョイント縦枠３２でそれぞれ構成したが、これは新設上枠４０、新設縦枠４２がアルミ押出形材で、段窓、連窓に適用できるようにした形状のために、その室外側面の見付け寸法が小さいために、ジョイント上枠３０、ジョイント縦枠３２を設けて室外側面の見付け寸法を大きくするためであり、室外側面の見付け寸法が大きな新設上枠４０、新設縦枠４２であれば、その新設上枠４０、新設縦枠４２のみで新設上枠部材３ａ、新設縦枠部材３ｂとすることができる。
【００５９】
例えば、図１０、図１１に示すように樹脂押出形材の新設上枠４０、新設下枠４１、新設縦枠４２を方形状に連結した樹脂の新設枠３であれば、新設上枠４０、新設下枠４１、新設縦枠４２が同一断面形状で、その室外側面４０−１，４１−１，４２−１の見付け寸法が大きいから、その室外側面４０−１，４１−１を上カバー材６、縦カバー材７に接して見込み方向に位置決めできると共に、シール材でシールすることができ、ジョイント上枠、ジョイント縦枠は不要である。
【００６０】
この場合には、新設上枠４０、新設下枠４１、新設縦枠４２の見付け方向外側面の室内側寄りに外向片４０−２，４１−２，４２−２を設けて上カバー材６、縦カバー材７に固着するようにしてある。
新設下枠４１の外向片４１−２は切断して除去してジョイント下枠３１を取り付ける。
【００６１】
縦カバー材７、縦取付金具８は前述の実施の形態と同様であるが、上カバー材６、横取付金具６３は異なる。
つまり、上カバー材６は見込み方向に向かう横片６６と、この横片６６の室外側寄りに上向きに設けた上向片６７と、室外側端に下向きに設けた室外側垂下片６８と、室内側寄りに下向きに設けた室内側垂下片６９を有する。
横取付金具６３は既設上枠２０にビスで固着して取り付けられ、横片６６と対向している。
そして、横片６６を横取付金具６３にビスで固着して上カバー材６を既設上枠２０に取り付ける。
室内側垂下片６９と新設上枠４０の外向片４０−２をビスで固着して新設上枠４０を上カバー材６に取り付ける。
新設上枠４０の室外側面４０−１を室外側垂下片６８に接して見込み方向に位置決めすると共に、シール材でシールする。
新設縦枠４２の外向片４２−２が前述のブラケット９０に相当する。
【００６２】
前述の実施の形態では、縦取付金具８の室内側取付部８ａと室外側取付部８ｂを別体としたが、一体としても良い。
その場合には、室内側取付部８ａの取付位置を見付け方向に調整して各室外側取付部８ｂの室外側面８ｂ−１の見込み方向位置を調整する。
例えば、室内側取付部８ａの取付用孔８０ａを見込み方向の長孔とする。
なお、室内側取付部８ａと室外側取付部８ｂが別体の場合に、その室内側取付部８ａの取付用孔８０ａを見込み方向の長孔として見込み方向の取付位置を大きく変更できるようにしても良い。このようにすれば、見込み寸法が大きく異なる既設枠に対応できる。
【００６３】
前述の実施の形態では、上カバー材６を横取付金具６３で既設上枠２０に取り付けしたが、上カバー材６を左右の縦カバー７に渡って取り付けても良い。
例えば、図１２〜図１４に示すように上カバー材６の下取付片６２の長手方向両端部を切断して除去し、その下取付片６２を本体６０よりも短くすることで、図１２に示すように、下取付片６２が左右の縦カバー材７の内側突片７１間に入り込み、その下取付片６２の長手方向端面６２ａが左右の縦カバー材７の内側突片７１に接すると共に、本体６０の下取付片６２よりも突出した長手方向両端部の室内側面（室内側縦片６０ａ）が左右の縦カバー材７の室外側面（縦板７０の室外側面）に接するようにする。
【００６４】
上カバー材６の本体６０の長手方向両端部に取付用ビス６６を室内側から見込み方向に向けてそれぞれ螺合する。
図１３に示すように、左右の縦カバー材７の縦板７０における一対の係止片７３間、つまり係合凹部７５を形成する部分の上端部に、上端面に開口し、取付用ビス６６が長手方向から挿入する縦溝７０ｂを形成する。
この左右の縦溝７０ｂ間の左右方向の寸法と左右の取付用ビス６６間の寸法を同一とする。
【００６５】
上カバー材６は次のように取り付ける。
左右の縦カバー材７を取り付けた後に、室内側から上カバー材６を左右の縦カバー材７間を通して室外側に突出して図１４に示すように左右の縦カバー材７よりも上方に位置する。このとき、取付用ビス６６は弛めた状態とする。
【００６６】
前述の状態から上カバー材６を下方に移動して左右の取付用ビス６６を左右の縦溝７０ｂに長手方向から挿入し、本体６０の長手方向両端部の室内側面を左右の縦カバー材７の縦板７０の室外側面に接すると共に、下取付片６２の長手方向端面６２ａを縦カバー材７の内側突出片７１に接する。
左右の取付用ビス６６を左右の縦溝７０ｂの底部に接することで上カバー材６を上下方向に位置決めし、その状態で取付用ビス６６を室内側から締め付けることで、取付用ビス６６の頭部を縦板７０の室内側面７０ａに押しつけて固定し、上取付片６１を既設上枠２０の室外側面２０ｅに接するようにして上カバー材６を左右の縦カバー材７に渡って取り付ける。
【符号の説明】
【００６７】
１…躯体、１ａ…開口部、２…既設枠、３…新設枠、３ａ…新設上枠部材、３ｂ…新設下枠部材、３ｃ…新設縦枠部材、６…上カバー材、７…縦カバー材、８…縦取付金具、８ａ…室内側取付部、８ｂ…室外側取付部、２０…既設上枠、２１…既設下枠、２２…既設縦枠、３０…ジョイント上枠、３１…ジョイント下枠、３２…ジョイント縦枠、４０…新設上枠、４１…新設下枠、４２…新設縦枠。
【図１】
2014025196.tif 000003
【図２】
2014025196.tif 000004
【図３】
2014025196.tif 000005
【図４】
2014025196.tif 000006
【図５】
2014025196.tif 000007
【図６】
2014025196.tif 000008
【図７】
2014025196.tif 000009
【図８】
2014025196.tif 000010
【図９】
2014025196.tif 000011
【図１０】
2014025196.tif 000012
【図１１】
2014025196.tif 000013
【図１２】
2014025196.tif 000014
【図１３】
2014025196.tif 000015
【図１４】
2014025196.tif 000016